【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
少なくとも３つのナノ粒子を含む超構造を含んでいる構成であって、
前記ナノ粒子は、前記超構造を形成するように面接触で接合し、
前記超構造の各面接触は、接触したナノ粒子のそれぞれの間の結合相互作用で定められ、
ナノ粒子の前記超構造中の前記結合相互作用の各々は、ナノ粒子の前記超構造中の全結合相互作用の１０％以下を含む、構成。
【請求項２】
ナノ粒子の前記超構造中の各結合相互作用が特異的である、請求項１に記載の構成。
【請求項３】
少なくともいくつかの前記結合相互作用が核酸相互作用である、請求項１又は２に記載の構成。
【請求項４】
少なくともいくつかの前記結合相互作用が水素結合相互作用である、
請求項１〜３のいずれかに記載の構成。
【請求項５】
少なくともいくつかの前記合相互作用が共有結合である、請求項１〜４のいずれかに記載の構成。
【請求項６】
少なくともいくつかの前記結合相互作用が疎水性相互作用である、請求項１〜５のいずれかに記載の構成。
【請求項７】
少なくともいくつかの前記ナノ粒子が多面体ナノ粒子である、請求項１〜６のいずれかに記載の構成。
【請求項８】
少なくともいくつかの前記ナノ粒子がナノキューブである、請求項１〜７のいずれかに記載の構成。
【請求項９】
前記超構造中の前記ナノ粒子の各々がナノキューブである、請求項１〜８のいずれかに記載の構成。
【請求項１０】
前記超構造中の前記ナノ粒子の各々がナノキューブである、請求項１〜９のいずれかに記載の構成。
【請求項１１】
少なくともいくつかの前記ナノ粒子の最大内部寸法が約１マイクロメートル未満である、請求項１〜１０のいずれかに記載の構成。
【請求項１２】
少なくともいくつかの前記ナノ粒子が金属を含む、請求項１〜１１のいずれかに記載の構成。
【請求項１３】
少なくともいくつかの前記ナノ粒子が金を含む、請求項１〜１２のいずれかに記載の構成。
【請求項１４】
少なくともいくつかの前記ナノ粒子が銅を含む、請求項１〜１３のいずれかに記載の構成。
【請求項１５】
少なくともいくつかの前記ナノ粒子が半導体を含む、請求項１〜１４のいずれかに記載の構成。
【請求項１６】
少なくともいくつかの前記ナノ粒子がケイ素を含む、請求項１〜１５のいずれかに記載の構成。
【請求項１７】
前記超構造が少なくとも１０個のナノ粒子を含む、請求項１〜１６のいずれかに記載の構成。
【請求項１８】
前記超構造が少なくとも１００個のナノ粒子を含む、請求項１〜１７のいずれかに記載の構成。
【請求項１９】
前記超構造中の前記ナノ粒子の各々がパッチの特異的な配列を含む、請求項１〜１８のいずれかに記載の構成。
【請求項２０】
安定な超構造を形成する前記ナノ粒子の５０％以下は同一である、請求項１〜１９のいずれかに記載の構成。
【請求項２１】
前記超構造が懸濁液中に含まれる、請求項１〜２０のいずれかに記載の構成。
【請求項２２】
前記超構造が安定である、請求項１〜２１のいずれかに記載の構成。
【請求項２３】
少なくとも３つのナノ粒子が、特定の結合相互作用を介して共に結合したものを含む超構造を含んでいる構成であって、
ナノ粒子の前記超構造中の前記結合相互作用の各々は、ナノ粒子の前記超構造中の全結合相互作用の１０％以下を含む、構成。
【請求項２４】
前記超構造を形成する前記ナノ粒子間の各結合相互作用は、前記超構造中で特異的である、請求項２３に記載の構成。
【請求項２５】
少なくともいくつかの前記結合相互作用が核酸相互作用である、請求項２３又は２４に記載の構成。
【請求項２６】
少なくともいくつかの前記ナノ粒子がナノキューブである、請求項２３〜２５のいずれかに記載の構成。
【請求項２７】
前記超構造が少なくとも１０個のナノ粒子を含む、請求項２３〜２６のいずれかに記載の構成。
【請求項２８】
前記超構造を形成する前記ナノ粒子の５０％以下は同一である、請求項２３〜２７のいずれかに記載の構成。
【請求項２９】
前記超構造が懸濁液中に含まれる、請求項２３〜２８のいずれかに記載の構成。
【請求項３０】
少なくとも３つのナノ粒子を含む安定な超構造を含んでいる構成であって、前記ナノ粒子の少なくとも２つは前記超構造中で互いに非接触である、構成。
【請求項３１】
少なくともいくつかの前記ナノ粒子が多面体ナノ粒子である、請求項３０に記載の構成。
【請求項３２】
前記超構造が、面接触で配置された前記多面体ナノ粒子から形成される、請求項３１に記載の構成。
【請求項３３】
前記安定な超構造が懸濁液中に含まれる、請求項３０〜３２のいずれかに記載の構成。
【請求項３４】
前記安定な超構造中の前記ナノ粒子の各々がパッチの特異的な配列を含む、請求項３０〜３３のいずれかに記載の構成。
【請求項３５】
前記安定な超構造を形成する前記ナノ粒子の５０％以下は同一である、請求項３０〜３４のいずれかに記載の構成。
【請求項３６】
前記安定な超構造を形成する前記ナノ粒子が面接触である、請求項３０〜３５のいずれかに記載の構成。
【請求項３７】
少なくともいくつかの前記ナノ粒子がナノキューブである、請求項３０〜３６のいずれかに記載の構成。
【請求項３８】
前記超構造が少なくとも１０個のナノ粒子を含む、請求項３０〜３７のいずれかに記載の構成。
【請求項３９】
前記超構造を形成する前記ナノ粒子の５０％以下は同一である、請求項３０〜３８のいずれかに記載の構成。
【請求項４０】
前記超構造が懸濁液中に含まれる、請求項３０〜３９のいずれかに記載の構成。
【請求項４１】
複数のナノ粒子から形成される安定な超構造を含む構成であって、前記超構造を形成する前記ナノ粒子の５０％以下は同一である、構成。
【請求項４２】
前記安定な超構造を形成する前記ナノ粒子が面接触である、請求項４１に記載の構成。
【請求項４３】
少なくともいくつかの前記ナノ粒子がナノキューブである、請求項４１又は４２に記載の構成。
【請求項４４】
前記超構造が少なくとも１０個のナノ粒子を含む、請求項４１〜４３のいずれかに記載の構成。
【請求項４５】
前記超構造が懸濁液中に含まれる、請求項４１〜４４のいずれかに記載の構成。
【請求項４６】
非共有結合で共に結合したナノ粒子から形成される複数の超構造を含む構成であって、
前記超構造の少なくとも５０％は少なくとも３つのナノ粒子を含み、かつ区別できないものである、構成。
【請求項４７】
前記安定な超構造を形成する前記ナノ粒子が面接触である、請求項４６に記載の構成。
【請求項４８】
少なくともいくつかの前記ナノ粒子がナノキューブである、請求項４６又は４７に記載の構成。
【請求項４９】
前記超構造が少なくとも１０個のナノ粒子を含む、請求項４６〜４８のいずれかに記載の構成。
【請求項５０】
前記超構造が懸濁液中に含まれる、請求項４６〜４９のいずれかに記載の構成。
【請求項５１】
ナノ粒子の前記超構造中の前記非共有結合相互作用の各々が特異的である、請求項４６〜５０のいずれかに記載の構成。
【請求項５２】
複数の超構造を含む構成であって、
前記超構造は、前記超構造を形成するように面接触で接合したナノ粒子から形成され、
前記超構造の少なくとも５０％は少なくとも３つのナノ粒子を含み、かつ区別できないものである、構成。
【請求項５３】
少なくともいくつかの前記ナノ粒子がナノキューブである、請求項５２に記載の構成。
【請求項５４】
少なくともいくつかの前記超構造が少なくとも１０個のナノ粒子を含む、請求項５２又は５３に記載の構成。
【請求項５５】
前記超構造を形成する前記ナノ粒子の５０％以下は同一である、請求項５２〜５４のいずれかに記載の構成。
【請求項５６】
前記超構造が懸濁液中に含まれる、請求項５２〜５５のいずれかに記載の構成。
【請求項５７】
前記超構造を形成するように面接触で接合した前記ナノ粒子が非共有結合相互作用で接合されている、請求項５２〜５６のいずれかに記載の構成。
【請求項５８】
少なくともいくつかの前記非共有結合相互作用が核酸相互作用である、請求項５７に記載の構成。
【請求項５９】
超構造中で前記非共有結合相互作用の各々が特異的である、請求項５７又は５８に記載の構成。
【請求項６０】
ナノ粒子から形成される複数の安定な超構造を含む懸濁液を含んでいる構成であって、
前記懸濁液中の前記超構造の少なくとも３０％は、少なくとも３つのナノ粒子を含み、かつ区別できないものである、構成。
【請求項６１】
前記懸濁液中の前記超構造の少なくとも５０％は、少なくとも３つのナノ粒子を含み、かつ区別できないものである、請求項６０に記載の構成。
【請求項６２】
前記懸濁液中の前記超構造の少なくとも９０％は、少なくとも３つのナノ粒子を含み、かつ区別できないものである、請求項６１又は６２に記載の構成。
【請求項６３】
少なくともいくつかの前記ナノ粒子がナノキューブである、請求項６０〜６２のいずれかに記載の構成。
【請求項６４】
少なくともいくつかの前記超構造が少なくとも１０個のナノ粒子を含む、請求項６０〜６３のいずれかに記載の構成。
【請求項６５】
前記超構造を形成する前記ナノ粒子の５０％以下が同一である、請求項６０〜６４のいずれかに記載の構成。
【請求項６６】
前記超構造を形成するように前記ナノ粒子が面接触で接合されている、請求項６０〜６５のいずれかに記載の構成。
【請求項６７】
前記ナノ粒子が非共有結合相互作用で接合されている、請求項６６に記載の構成。
【請求項６８】
少なくともいくつかの前記非共有結合相互作用が核酸相互作用である、請求項６７に記載の構成。
【請求項６９】
前記非共有結合相互作用の各々が超構造中で特異的である、請求項６７又は６８に記載の構成。
【請求項７０】
第１の結合相手を含む第１の面、第２の結合相手を含む第２の面、及び第３の結合相手を含む第３の面を含む第１のナノ粒子と、
結合相手を含む第１の面を含む第２のナノ粒子とを含み、
前記第２のナノ粒子の前記結合相手は、前記第１のナノ粒子の前記第２又は第３の結合相手に特異的に結合することなしに、
前記第１の結合相手に特異的に結合することができる、構成。
【請求項７１】
前記第１の結合相手は第１の混和性を含み、
前記第２の結合相手は前記第１の混和性と互換性のない第２の混和性を含み、
前記第３の結合相手は前記第１および第２の混和性と互換性のない第３の混和性を含む、請求項７０に記載の構成。
【請求項７２】
前記第１の結合相手は第１の核酸を含み、前記第２の結合相手は第２の核酸を含み、第３の結合相手は第３の核酸を含む、請求項７０又は７１に記載の構成。
【請求項７３】
前記ナノ粒子がナノキューブである、請求項７０〜７２のいずれかに記載の構成。
【請求項７４】
前記ナノ粒子の最大内部寸法が約１マイクロメートル未満である、請求項７０〜７３のいずれかに記載の構成。
【請求項７５】
前記ナノ粒子が金属を含む、請求項７０〜７４のいずれかに記載の構成。
【請求項７６】
前記結合相手が前記ナノ粒子の前記第１の面の少なくとも５０％を被覆する、請求項７０〜７５のいずれかに記載の構成。
【請求項７７】
前記第１の結合相手が前記ナノ粒子の前記第１の面を被覆する、請求項７０〜７６のいずれかに記載の構成。
【請求項７８】
前記第１の結合相手が核酸を含む、請求項７０〜７７のいずれかに記載の構成。
【請求項７９】
前記第１の結合相手がＤＮＡを含む、請求項７０〜７８のいずれかに記載の構成。
【請求項８０】
前記第１の結合相手がＲＮＡを含む、請求項７０〜７９のいずれかに記載の構成。
【請求項８１】
前記第１の結合相手が高分子を含む、請求項７０〜８０のいずれかに記載の構成。
【請求項８２】
前記高分子が異なる親水性を有するモノマーを含む、請求項８１に記載の構成。
【請求項８３】
前記第１の結合相手が抗体を含む、請求項７０〜８２のいずれかに記載の構成。
【請求項８４】
少なくとも１つの前記結合相手が水素結合を介して他の結合相手と特異的に結合できる、請求項７０〜８３のいずれかに記載の構成。
【請求項８５】
少なくとも１つの前記結合相手が共有結合を介して他の結合相手と特異的に結合できる、請求項７０〜８４のいずれかに記載の構成。
【請求項８６】
少なくとも１つの前記結合相手が疎水性相互作用を介して他の結合相手と特異的に結合できる、請求項７０〜８５のいずれかに記載の構成。
【請求項８７】
複数のナノ粒子を含む構成であって、
各々が面を含む少なくとも第１及び第２のナノ粒子を含み、
前記第１及び第２のナノ粒子の各々の前記面は異なる配列の結合相手を有し、
前記第１のナノ粒子の１つの面と第２のナノ粒子の１つの面のみが、互いに特異的に結合することができる結合相手を有する構成。
【請求項８８】
少なくともいくつかの前記結合相手が核酸を含む、請求項８７に記載の構成物。
【請求項８９】
少なくともいくつかの前記ナノ粒子がナノキューブである、請求項８７又は８８に記載の構成。
【請求項９０】
前記超構造が少なくとも１０個のナノ粒子を含む、請求項８７〜８９のいずれかに記載の構成。
【請求項９１】
前記超構造が懸濁液中に含まれる、請求項８７〜９０のいずれかに記載の構成。
【請求項９２】
伝導路を形成するように面接触で接合した複数の多面体ナノ粒子により定められる前記伝導路を含む電気回路を含んでいる、デバイス。
【請求項９３】
内部空間をもつ超構造を含む物品であって、前記超構造は複数の多面体ナノ粒子から形成される、物品。
【請求項９４】
超構造を形成するように配置された複数のナノ粒子を含む物品であって、
前記超構造が、前記超構造を形成する少なくともいくつかの前記ナノ粒子の前記面によって定められる少なくとも１つの表面をもつ、物品。
【請求項９５】
複数のナノキューブから形成されるシートを含む物品であって、前記シートは単一ナノキューブの厚みによって定められる厚みを有する、物品。
【請求項９６】
面を含む複数のナノ粒子の第１の面に、前記ナノ粒子の第２の面に第１の被覆を適用することなしに、前記第１の被覆を適用する工程と、
前記ナノ粒子の前記第１の面に第２の被覆を適用することなしに、前記ナノ粒子の前記第２の面に前記第２の被覆を適用する工程と、
ナノ粒子のうち、前記第１と第２の面の特定の配列を有する前記複数のナノ粒子を富化する工程とを含む、方法。
【請求項９７】
選択的に結合する３種以上のパッチをナノキューブの前記面にスタンプする工程を含むパッチナノキューブの合成方法。
【請求項９８】
パッチナノキューブを含む超構造の合成方法であって、
ナノキューブと、異なる混和特性を有する部分の配列を含む、選択的に結合する３種以上の化学物質とを、溶液中で組み合わせる工程を含む、方法。
【請求項９９】
少なくともいくつかの前記ナノキューブが金属を含む、請求項９７又は９８に記載の方法。
【請求項１００】
前記金属が、金、銀、銅、白金からなる群から選択される、請求項９９に記載の方法。
【請求項１０１】
少なくともいくつかの前記ナノキューブが半導体である、請求項９７〜１００のいずれかに記載の方法。
【請求項１０２】
前記半導体が、シリコン、セレン化銅、酸化銅、酸化セシウムからなる群から選択される、請求項１０１に記載の方法。
【請求項１０３】
少なくともいくつかの前記ナノキューブが磁性体である、請求項９７〜１０２のいずれかに記載の方法。
【請求項１０４】
少なくともいくつかの前記ナノキューブが酸化鉄である、請求項９７〜１０３のいずれかに記載の方法。
【請求項１０５】
少なくともいくつかの前記選択的に結合するパッチがＤＮＡ及び／又はＲＮＡである、請求項９７〜１０４のいずれかに記載の方法。
【請求項１０６】
少なくともいくつかの前記選択的に結合するパッチが抗体及び／又は抗原である、請求項９７〜１０５のいずれかに記載の方法。
【請求項１０７】
請求項９７〜１０６のいずれかに記載の方法を用いて溶液中で合成されたナノキューブのいくつかの組み合わせを結合させる工程と、
異なるナノキューブにある、選択的に結合する相補的なパッチを結合させる工程とを含む、任意形状の構造体の合成方法。
【請求項１０８】
少なくともいくつかの前記ナノキューブが水素結合を通して結合する、請求項１０７に記載の方法。
【請求項１０９】
少なくともいくつかの前記ナノキューブが共有結合を通して結合する、請求項１０７又は１０８に記載の方法。
【請求項１１０】
少なくともいくつかの前記ナノキューブが疎水性／親水性／フッ化物の相互作用を通して結合する、請求項１０７〜１０９のいずれかに記載の方法。
【請求項１１１】
前記構造体が特定のパッチの配向を含む、請求項１０７〜１１０のいずれかに記載の方法。
【請求項１１２】
前記構造体が繰り返しサブユニットを含む、請求項１０７〜１１１のいずれかに記載の方法。
【請求項１１３】
超構造の合成方法であって、
ナノ構造体を、
異なる混和特性を有する部分の配列を含む、選択的に結合する３種以上の化学物質と、
溶液中で組み合わせる工程を含む、
超構造の合成方法。
【請求項１１４】
選択的に結合する３種以上のパッチを、ナノ構造体の前記面にスタンプする工程を含む、パッチナノ構造体の合成方法。